(57)【要約】【課題】表示体の表示部を簡単に着色することができて安価で生産性し易い表示装置と、表示装置を有する看板を提供する。【解決手段】  光源２と、この光源２の光を透過可能な表示体３とを備え、表示体３の一面を凸凹状にすることで表示体３に表示部７を形成した表示装置１において、光源２と表示部７との間に、表示部７を着色するための着色シート４を配置した。【選択図】図１
2006201718.tif 000002
【特許請求の範囲】
【請求項１】
光源と、この光源の光を透過可能な表示体とを備え、表示体の一面を凸凹状にすることで該表示体に表示部を形成した表示装置において、
前記光源と表示部との間に、該表示部を着色するための着色シートを配置したことを特徴とする表示装置。
【請求項２】
光源と、この光源の光を透過可能な表示パネルとを備え、表示パネルの裏面を凸凹状にすることで該表示パネルに表示部を形成すると共に、表示パネルの裏面側に光源を配置した表示装置において、
前記表示部を着色する着色シートを表示パネルの裏面に設けると共に、該着色シートを前記裏面の凹部に圧着していることを特徴とする表示装置。
【請求項３】
前記着色シートには、表示部に対応した位置に着色剤が塗布されており、この着色剤は光源の光を透過するものであることを特徴とする請求項１又は２に記載の表示装置。
【請求項４】
前記表示パネルの裏面に光が透過不能な鏡層を設けており、この鏡層をサンドブラスト加工で凹状に削ることによって前記表示部を形成していることを特徴とする請求項１〜３のいずれかに記載の表示装置。
【請求項５】
請求項１〜４のいずれかに記載の表示装置と、この表示装置を装着する看板本体とを有しており、前記看板本体に表示装置を着脱自在としていることを特徴とする看板。
【請求項６】
請求項１〜４のいずれかに記載の表示装置と、この表示装置を装着する看板本体とを有し、前記看板本体に表示装置を着脱自在とすると共に、看板本体に表示装置の表面上方側を覆うフード部材を設け、このフード部材に、前記表示装置に光を照射するためのライトを設けていることを特徴とする看板。
【発明の詳細な説明】
【技術分野】
【０００１】
本発明は、表示装置とこの表示装置を有する看板に関するものである。
【背景技術】
【０００２】
この種の表示装置として特許文献１に示すものがある。この表示装置は、例えば、部屋などに飾られるものであり、光源と、この光源の光を透過する表示体（装飾体）とを有している。
表示体は、例えばガラス筒体で構成されおり、このガラス筒体の内周面を凹状に彫刻することでガラス筒体に絵柄（表示部）を描いたものとなっている。
ガラス筒体に絵柄を彫刻する方法として、ブラスト加工が用いられる。ブラスト加工は微細な彫刻が可能であるために、ガラス筒体に複雑な絵柄を描くことができるものである。
【特許文献１】実開平５−４５８１８号公報
【発明の開示】
【発明が解決しようとする課題】
【０００３】
ブラスト加工によりガラス筒体に複雑な絵柄を描くことが可能になったが、一方で、その絵柄に色を付ける場合、絵柄を構成するガラス筒体の凸凹が微細であるためにその凸凹に絵柄に対応する様々な色を付着させることは非常に難しいものとなる。
そこで、ガラス筒体への着色作業は機械に頼らず、熟練した作業者で行われているのが実情であり、製造コストがかかると共に、生産性が低下していた。
また、熟練した作業者であっても凸凹が微細であるために着色作業に非常な注意を要し、場合によっては色むらが生じることがあった。
【０００４】
そこで、本発明は、上記問題点に鑑み、表示体の表示部に色を簡単に付与でき且つ、安価で生産し易い表示装置と、このような表示装置を有する看板を提供すること目的とする。
【課題を解決するための手段】
【０００５】
前記目的を達成するために、本発明は、次の手段を講じた。即ち、光源と、この光源の光を透過可能な表示体とを備え、表示体の一面を凸凹状にすることで該表示体に表示部を形成した表示装置において、前記光源と表示部との間に、該表示部を着色するための着色シートを配置した点にある。
これによれば、着色シートを設けるだけで、表示部に簡単に色を付与することができる。しかも、表示部への着色は凹部への着色によって行うのではなく、着色シートへの着色で行うようにしているので、従来のように凹部への着色作業を人の手でする必要がなく、着色シートを機械を用いて安価に生産することが可能である。
【０００６】
本発明の他の手段は、光源と、この光源の光を透過可能な表示パネルとを備え、表示パネルの裏面を凸凹状にすることで該表示パネルに表示部を形成すると共に、表示パネルの裏面側に光源を配置した表示装置において、前記表示部を着色する着色シートを表示パネルの裏面に設けると共に、該着色シートを前記裏面の凹部に圧着している点にある。
これによれば、着色シートを圧着するだけで、表示部に簡単に色を付与することができる。しかも、表示部への着色は凹部への着色によって行うのではなく、着色シートへの着色で行うようにしているので、従来のように凹部への着色作業を人の手でする必要がなく、着色シートを機械を用いて安価に生産することが可能である。
【０００７】
さらに、着色シートを表示パネルに圧着しているので、表示部と着色シートとの一体間が高まり、光を表示部に照射したときに表示部が色鮮やかになる。
前記着色シートには、表示部に対応した位置に着色剤が塗布されており、この着色剤は光源の光を透過するものであることが好ましい。
前記表示パネルの裏面に光が透過不能な鏡層を設けており、この鏡層をサンドブラスト加工で凹状に削ることによって前記表示部を形成していることが好ましい。
本発明の他の手段は、前記表示装置と、この表示装置を装着する看板本体とを有した看板であって、前記看板本体に表示装置を着脱自在としている点にある。
【０００８】
本発明の他の手段は、前記表示装置と、この表示装置を装着する看板本体とを有した看板であって、前記看板本体に表示装置を着脱自在とすると共に、看板本体に表示装置の表面上方側を覆うフード部材を設け、このフード部材に、前記表示装置に光を照射するライトを設けている点にある。
【発明の効果】
【０００９】
本発明によれば、表示体の表示部に色を簡単に付与することができ、しかも、安価で生産性し易い。
【発明を実施するための最良の形態】
【００１０】
以下、本発明の第１実施形態を図面を参照して説明する。
図１に示すものは、本発明の第１実施形態の表示装置の概略分解図であり、図２に示すものは、表示装置の正面図である。また、図３に示すものは、図２のＡ−Ａ断面概略図である。なお、図２において紙面左右を左右方向、紙面貫通方向を前後方向とし、図３において紙面左右を前後方向、紙面貫通方向を左右方向とする。また、表示装置を見る観察者Ｅ側を表側、その反対側を裏側とする。
表示装置１は、例えば、住宅，オフィスや，病院，店舗等などに飾られるもので、光源２と、表示体３とを有している。光源２と、表示体３との間には着色シート４が配置されている。これら光源２、表示体３及び着色シート４は筐体５に納められている。
【００１１】
表示体３は、透明ガラス、半透明ガラス、アクリルや合成樹脂等から矩形状に形成されたパネル（以降，表示パネルという）から構成されている。この表示パネル３は、光源２の光を透過可能である。この実施形態では、表示パネル３は板状の透明なガラスで形成されている。
表示パネル３の裏面６には、その裏面６をサンドブラスト加工などにより凹状（凸凹状）に彫り込むことで、絵柄，模様，文字などの表示部７が形成されている。この実施形態では、表示パネル３の裏面６を凹状にした凹部１０（壁部）が表示部７を示すための輪郭となる。また、この実施の形態では、ガラス製の表示パネル３であるため、サンドブラスト加工をした段階では表示部７は透明であり、裏面６に設けた表示部７が表面側から見えるようになっている。
【００１２】
着色シート４は表示部７に色を付与するもので、この着色シート４には表示部７に対応した位置に着色剤が塗布されている。この実施形態では、着色シート４は透明なクリヤシートで構成されていてその表面は平坦であって、クリヤシートの表面に表示部７に対応した色が塗布されている。
即ち、着色シート４と表示パネル３とを重合させた（重ね合わした）ときに、表示パネル３の表示部７の直下が、着色シート７における着色をする着色部８とされ、この着色部８（着色シート４の表面）に色が塗布されている。
【００１３】
例えば、表示パネル３に月の模様の表示部７を形成した場合、これに対応する着色シート４の着色部８に黄色の着色剤が塗布される。
このような着色シート４は、表示パネル３と略同じ大きさに形成されていて、着色シート４の四隅が表示パネル３の四隅に略一致するように、着色シート４は表示パネル３の裏面６に接着剤９などにより接着されている。
図３に示すように、着色シート４の着色部８と、表示パネル３の表示部７を構成する凹部１０とは離間していて、これらの間には空間１１が形成されている。着色シート４の着色部８分とは別の非着色部８分は表示パネル３の裏面６と密着状となっている。
【００１４】
表示パネル３の裏面６におけるサンドブラスト加工は、例えば、グラフィックスソクト（Ａｄｏｂｅ製のイラストレータ）を使用できるコンピュータを介して表示部７の形状データ（線画情報，色情報）を作成し、形状データにおける線画情報を、コンピュータから加工機（例えば、ブラスト加工機，レーザ加工機など）に送信することで行うことができる。
着色シート４への着色は、例えば、上述したようにブラスト加工した際における表示部７の形状データから線画データを除いた着色データを取り出して、着色データをコンピュータから印刷機（プリンタ）に送信し、着色部８だけを着色シート４に印刷することで行うことができる。したがって、着色シート４の着色は機械を用いて行うことができ、大量生産も可能である。
【００１５】
前記着色剤は光源２の光を透過する光が透過するものであり、例えば、クリヤカラーやクリヤシートで構成されている。
光源２は、着色シート４を介して表示パネル３の裏面６側から表示部７にその光を照射するもので、この光源２はＬＥＤ，ＥＬ素子や蛍光ランプ等で構成されている。この実施形態では、着色シート４の裏側（直下の裏側）に光源２を配置したバックライト方式を採用しており、複数のＬＥＤにより光源２が構成され、この光源２は光源用ボックス２ａに納められている。
【００１６】
表示パネル３の表面側には保護パネル１２が設けられている。この保護パネル１２は、光を透過するようにアクリル等の透明な部材で表示パネル３と略同じ大きさに形成されている。保護パネル１２は、保護パネル１２の四隅が表示パネル３の四隅に略一致するように、表示パネル３の表面に接着剤等により接着されている。保護パネル１２の表面全面には、紫外線を遮断するＵＶカットシートを貼り付けるのが好ましい。
図１〜３に示すように、前記筐体５は、上記の部材を収納するもので、枠体１３と、この枠体１３の裏側を閉鎖可能な蓋体１４とで構成されている。この枠体１３は、左右に延びる一対の横フレーム１５と、上下に延びる一対の縦フレーム１６とを有していて、各横フレーム１５の左右両端部をそれぞれ縦フレーム１６で連結することにより正面視ロ字形に形成されている。
【００１７】
前記蓋体１４は、横フレーム１５及び縦フレーム１６の裏側内周面に嵌め込み可能に形成されており、枠体１３を構成する横フレーム１５及び縦フレーム１６に着脱可能となっている。
したがって、枠体１３の内周面に保護パネル１２，表示パネル３及び複数の光源２を支持する光源用ボックス２ａを嵌め込み、枠体１３の裏側を蓋体１４で覆うことによって、これらを筐体５内に収納することができるようになっている。
なお、この実施形態では、枠体１３及び蓋体１４は光を透さない非透過性の部材で形成されている。
【００１８】
以上、表示装置４によれば、光を灯すと、その光は着色シート４の裏面６側から着色シート４の略全体に透過し、着色シート４の表面から表示パネル３の裏面６の略全体に透過して、表示パネル３の表面から観察者Ｅ側に出射するために表示部７を非常に色鮮やかに表示することができる。
特に、表示パネル３の裏面６をサンドブラスト加工して微細なその裏面６に凸凹を形成し、表示部７を形成しているので、表示部７で光の乱反射が起こり、着色シート４の着色部８分と相俟って表示部７が煌びやかに見えて意匠性を非常に向上させることができる。
【００１９】
図４，５は本発明の第２の実施形態の表示装置を示している。この実施形態の表示装置１は、着色シート４を表示パネル３の表示部７（凹部１０）に圧着したものである。
上記の実施形態と同じ構成の部分は同符号を付して説明を省略する。この着色シート４は、透明で且つ熱等により収縮可能なシュリンク材で構成されている。
着色シート４の表面又は表示パネル３の裏面６の四隅には接着剤が付けられて、これらが重合しており、着色シート４の着色部８は表示パネル３の凹部１０の周壁に密着している。着色シート４は、圧着装置２０（図５参照）によって表示パネル３の裏面６に圧着されたものである。
【００２０】
図５に示すように、着色シート４を表示パネル３に圧着する圧着装置２０は、例えば、真空引きをして圧着を行う真空型圧着装置である。この圧着装置２０は、箱形のケース２１と、このケース２１内に設けられて表示パネル３を載置する載置台２２と、この載置台２２の上方に設けられて昇降可能なヒータ２３とを有している。
ケース２１は、透明なアクリルで箱形に形成されており、表示パネル３を内部に入れることができるようになっている。ケース２１の上壁部には気体を取り入れる吸気口２４が設けられ、下壁部にはケース２１内の気体を排気する排気口２５が設けられている。この吸気口２４及び排気口２５は扉体により閉鎖可能となっている。載置台２２には複数の開口部２６が設けられている。
【００２１】
着色シート４を表示パネル３に圧着するには、表示パネル３と着色シート４とを上下に重合させて着色シート４の表面を表示パネル３の裏面６に接着する。このとき、着色シート４は張った状態にする。
一方で、圧着装置２０のケース２１内を、パネルヒータ２３により４０℃〜１５０℃にする。ケース２１内を、６０℃〜８０℃にするのが好ましい。
そして、着色シート４を貼った表示パネル３を、着色シート４がパネルヒータ２３側になるように載置台２２に載置し、吸気口２４を閉鎖した状態で排気口２５からケース２１内の空気を強制的に吸引して真空引きを行う（約１分）。真空引きと熱によって着色シート４は収縮し、着色シート４の着色部８が凹部１０に入り込み、着色部８と凹部１０の周壁に密着する。
【００２２】
真空引きを停止して吸気口２４を開き、吸気口２４から高圧な空気をケース２１内に送り込み、空気圧で着色シート４を表示パネル３側に押すようにする。このようにすれば、着色シート４の着色部８分が凹部１０により入り込み易くなり、着色部分と凹部１０との密着性をより向上させることができる。
なお、真空引きで着色部８分と凹部１０とが十分に密着状となった場合には、吸気口２４から高圧な空気を送り込まなくてもよい。高圧な空気を送り込む際は、排気口２５を閉鎖するのが好ましい。
【００２３】
また、パネル２３の下面にシート状の耐熱ゴムを設け、この耐熱ゴムを着色シート４側に下降させて、着色シート４を上から押さえつけることにより着色シート４を表示パネル３に圧着するようにしてもよい。このとき、真空引きや空気圧着は必ず必要ではなく、適宜、圧着状況によってこれらを組み合わせるようにすればよい。
図６は本発明の第３の実施形態の表示装置１を示している。この実施形態の表示装置１は、光源２を表示パネル３の側面に設けると共に、表示パネル３の裏面６に光が透過不能な鏡層２７を設けており、この鏡層２７をサンドブラスト加工で凹状に削ることによって表示部７を形成したものである。
【００２４】
この実施形態では、表示パネル３の側壁側に光源２を配置したサイドライト方式が採用されている。
鏡層２７は表示パネル３の裏面６略全域に亘っており、鏡層２７が削り取られた表示部７には光が裏側から表側に透過するようになっている。鏡層２７が削り取られていない部分は、光が表側に透過しないようになっている。
筐体５の枠体１３には、光源２となるＬＥＤを格納する格納部２８が上下に設けられており、このＬＥＤは基板に実装されている。この基板を格納部２８に取り付けることにより、光源２は表示パネル３の裏側における側方に配置されている。
【００２５】
光源２の光が通過する表示パネル３の裏側は空間となっている。この空間に導光板を設けても良いし、表示パネル３の裏側に光の通過する前記空間を経て反射シートを設けることが好ましい。
反射シートを設けた場合、光源２から放射した光は、反射シート及び表示パネル３の鏡層２７で反射しながら空間部内を伝搬していき、着色シート４の着色部８を通過して表示部７に入射し、表示パネル３の表面から観察者Ｅ側の外部へ射出する。
図７〜９は本発明の表示装置１を有する看板を示している。この看板３０は、例えば、飲食店などの店舗の入口付近に設置されるもので、表示装置１と、表示装置１を装着する看板本体３１を有している。この表示装置１の表示部７には、店舗に関する情報（例えば、飲食店の場合には店舗の名称や料理の名称など）が表示されいている。
【００２６】
看板本体３１は、設置面に設置されるベースフレーム３２と、このベースフレーム３２に取り付けられて表示装置１を取り付ける取付パネル３３とで構成されている。取付パネル３３は、上部側が下部側よりもやや後方側（裏面６側）になるように傾斜状にベースフレーム３２に取り付けられている。
ベースフレーム３２は、左右一対のベース部材３４と、この左右のベース部材３４を互いに連結する連結部材３５とで構成されている。
ベース部材３４は、側面視で略Ｌ型の棒材や板材で構成されており、平らな設置面と略水平な水平部３６と、この水平部３６の前部から上方に起立する起立部３７とを有している。水平部３６の下部には移動用キャスタ３８が設けられている。連結部材３５はベース部材３４の水平部３６を互いに連結したもので水平部３６の前後を連結している。
【００２７】
取付パネル３３は、上部側が下部側よりもやや後方側（裏面６側）に位置するように傾斜状にベース部材３４に取り付けられている。
この取付パネル３３は、金属や木材等により矩形状に形成さており、この取付パネル３３には、表示装置１を引っ掛ける掛止部４０と、表示装置１を載置する載置部４１とを有している。
掛止部４０は、取付パネル３３の上部に設けられて該取付パネル３３の表面側に突出する左右一対の突起から構成されている。載置部４１は、掛止部４０の下側で取付パネル３３に設けられて該取付パネル３３の表面側に突出する左右一対の突起から構成されている。
【００２８】
表示装置１における筐体５の枠体１３には、掛止部４０に引っ掛ける逆Ｕ字状のフック４２が設けられている。
以上によれば、表示装置１の枠体１３を載置部４１に載置して前記フック４２を掛止部４０に掛止することによって表示装置１を看板本体３１（取付パネル３３）に装着することができると共に、該フック４２を掛止部４０から掛脱することで表示装置１を看板本体３１から取り外すことができる。
したがって、例えば、店舗が営業しているときは、表示装置１を看板本体３１に取り付けてその看板３０を店舗外に出して店舗の宣伝をし、店舗の営業が終了したときは、表示装置１を看板本体３１から取り外して、取り外した表示装置１を店舗内の窓際に設置して店舗の宣伝などをすることができる。
【００２９】
前記看板３０には、表示装置１の上部を支持するロック部材４３を設けることが好ましい。このロック部材４３は、取付パネル３３の上部に設けられて表示装置１の枠体１３に当接可能となっている。
ロック部材４３は、取付パネル３３の側面にピンを介して回動自在に設けられた左右一対の回動部４４と、一対の回動部４４を連結していて枠体１３の表面側に当接可能なロック部４５とを有している。
表示装置１を取付パネル３３に取り付けてロック部４５を枠体１３の表面側に当接すれば、表示装置１の上部が取付パネル３３から離脱するのを防ぐことができる。表示装置１を取付パネル３３から取り外す場合には、ロック部材４３の回動部４４を当接位置から非当接位置にスイングすることで表示装置１に当接しているロック部４５のロックを解除すればよい。
【００３０】
看板３０には、看板本体３１に表示する内容を自在に変更できる表示ボード４７を設けることが好ましい。即ち、表示ボード４７は、線画や文字などを書いたり消したりできる文字板４８（例えば、透明なホワイトボード板やＭＲ材）を有している。
したがって、表示ボード４７を手書きメニューとして使用することができ、「本日のおすすめ」などを、適宜、表示することができる。
このような表示ボード４７は、取付パネル３３の表面側に設けられた表示ボード用の載置部４６に載置可能となっており、表示ボード４７の下部を載置部４１に置くことによって取付パネル３３に立てかけることができるようになっている。この載置部４６は、前記表示装置１の載置部４１よりも下方に設けられているので、取付パネル３３の上部に表示装置１，下部に表示ボード４７がそれぞれ２段に配置できるようになっている。
【００３１】
図９に示すように、表示板４８の裏面側には、表示板４８の表面に表示した文字などを分かりやすくするための乳白色板４９が設けられている。乳白色板４９の裏面側には、光を透過可能な３Ｄシート５０が設けられている。この３Ｄシート５０の裏面側には、バックライト方式の光源２が設けられている。これら文字板，乳白色板４９，３Ｄシート５０，光源２は枠状のケース５１内に格納されている。
したがって、文字板に文字などを書いて光源２から光を放射すると、３Ｄシート５０によって表示板に表示した文字などが該表示板の表面から浮き出たように見えるようになり観察者Ｅの注目を引きやすくなる。
【００３２】
なお、上記の実施形態の看板３０では、取付パネル３３に、表示装置１を引っ掛ける掛止部４０を設けた上でロック部材４３も設けているが、これに代え、ロック部材４３を設けずに掛止部４０のみを設けても良いし、掛止部４０を設けずにロック部材４３のみを設けるようにしてもよい。
また、図１０，１１に示すように、ロック部材４３の代わりに表示装置１の上側を覆うフード部材５３を設けてもよい。
フード部材５３は、取付パネル３３の側面にピンを介して回動自在に設けられた左右一対の回動部５４と、一対の回動部５４を連結していて表示装置１の上部を覆うフード部５５とを有している。
【００３３】
回動部５４は、取付パネル３３の表面側から前方（観察者Ｅ側）に所定の長さ突出している。フード部５５は、回動部５４の基部側から回動部５４の先端部まで亘る板部材で構成されていて、フード部５５の直上からの光を遮断するようになっている。
したがって、フード部材５３を設けることで、表示装置１の左右方向の全域の上方側を表示装置１の上側を強制的に暗くなるようにしており、これにより、看板３０を明るいところに設置する場合（太陽の光が良く当たる場所など）でも、表示パネル３の表示部７がより良く見えるようにしている。
【００３４】
言い換えれば、看板３０が光が良く当たる場所では、表示装置１の光源２をＯＮしても太陽の光によって光源２の効果が減少するが、フード部材５３を設けることで太陽の光を強制的に遮ってしいるので、表示パネル３の表示部７が鮮明に見えるようにしている。
フード部材５３の先端部にライト５６を設けることが好ましい。このようにすれば、外部から表示装置１に光を照射することができ、特に、看板３０を暗い場所に設置する場合は、表示装置１の光源２に加えてライト５６の光で看板３０を目立つようにすることができる。
【００３５】
ライト５６を設ける場合、表示パネル３又は保護パネル１２の表面に光触媒（例えば、二酸化チタン）を塗布し、ライト５６をピーク波長が３８０ｎｍ前後で紫外線を多く放射するものに代えれば、看板３０を環境ホルモンの除去可能な環境看板３０として使用することができる。
なお、看板３０に設けた表示ボード４７の代わりに表示装置１を設けるようにしてもよい。即ち、看板３０は表示装置１を複数有するものであってもよい。
図１２〜１４は本発明の看板３０の第２の実施形態を示している。この看板３０は、表示装置１や表示ボード４７を取付パネル３３の裏側に設けるようにしたものである。上記の実施形態と同じ構成の部分は同符号を付して説明を省略する。
【００３６】
取付パネル３３には上下２つの開口部５７，５８が設けられている。上側の開口部５７は、表示装置１の枠体１３よりもやや小さめであり、表示装置１を取付パネル３３の裏側に設けたときに表側から表示パネル３が見えるようにしている。
下側の開口部５８は、表示ボード４７を収納するケース５１よりもやや小さめであり、表示ボード４７を取付パネル３３の裏側に設けたときに表示ボード４７が表側から見えるようにしている。
取付パネル３３の裏側には、表示装置１や表示ボード４７を載置する載置部４１，４６と、表示装置１や表示ボード４７の上部に係止する係止部６０，６１と、表示装置１や表示ボード４７の左右側部に当接可能で表示装置１の左右動を防止する移動防止部６３，６４とを有している。
【００３７】
表示装置用の係止部６０は、上開口部５７よりも上側に設けられ、表示装置用の載置部４１は下開口部５８の上側と上開口部５７の下側との間に設けられている。表示装置用の移動防止部６３は、表示装置１の側方で取付パネル３３の裏側から後方へ突出する突起部で構成されている。
表示ボード用の係止部６１は、下開口部５８の上方で且つ、表示装置用の載置部４１よりも下側に設けられ、表示ボード用の載置部４６は下開口部５８の下側に設けられている。表示ボード４７用の移動防止部６４は、表示ボード４７の側方で取付パネル３３の裏側から後方へ突出する突起部で構成されている。
【００３８】
表示装置用，表示ボード用の載置部４１，４６は、断面略Ｌ字形のアングル部材で構成されている。表示装置用，表示ボード用の係止部６０，６１は、断面略Ｌ字形のアングル部材で構成されている。両係止部６０，６１は、取付パネル３３の裏面６に設けられたピン６５により回動自在になっている。
以上によれば、表示装置１の枠体１３を表示装置用の載置部４１に置き、表示装置用の係止部６０を枠体１３の裏側に係止することで、表示装置１を取付パネル３３に装着することができる。
【００３９】
表示装置１用の係止部６０を枠体１３の裏側に係止したとき、表示装置用の係止部６０と枠体１３の裏側とを接着するようにしてもよいし、ピン６５及び係止部６０に周り止め部材を挿入することで係止部６０，６１を一時的に回動不能にしてもよい。
なお、取付パネル３３の裏側には、該取付パネル３３の裏側縁部から後方（裏側）に突出する周壁部６６が設けられており、この周壁部６６は表示装置１や表示パネル３の側部を取り囲んだ状態になっている。このような周壁部６６に防水カバー６７を取り付けることによって、表示装置１や表示ボード４７の防水を行うことができる。
【００４０】
本願発明は、上記の実施形態に限定されない。
上記の実施の形態の表示装置１の表示パネル３（表示体）は、板材を含むが可撓性を有するシートを含むものとする。
図１５に示すように、表示パネル３の側面に上記光源２を設けるようにしてもよい。このとき、アクリルや合成樹脂等から矩形状に形成した拡散板７０を、表示パネル３の側面に配置し、この拡散板７０に前記光源２の外周面が嵌り込む嵌合溝７１を設け、この嵌合溝７１に光源２を嵌めこむようにしてもよい。
【００４１】
上記の実施の形態では、表示パネル３の裏面６を凹状に彫り込んで、凹部１０を表示部７としていたが、これとは逆に、図１６に示すように表示部７の廻りを彫り込んで凸部１７を表示部７としてもよい。この場合は、表示部７を構成する凸部１７の対応する位置に
着色部８が設けられる。
図１７，１８に示すように、表示パネル３や着色シート４を分割型にしてもよい。即ち、表示パネル３を上下に分割すると共に、着色シート４を上下に分割してもよい。
具体的には、上下表示パネル３ａ，３ｂには文字などの表示部７がそれぞれ設けられており、上下着色シート４ａ，４ｂには上下表示パネル３ａ，３ｂの表示部７に対応した色が着色されている。
【００４２】
これら上下表示パネル３ａ，３ｂ及び上下着色シート４ａ，４ｂは筐体５から取り外すことができるようになっている。即ち、蓋体１４を筐体５から外して、下表示パネル３ｂを筐体５内から取り出すと下着色シート４ｂもこれと同時に取り出すことができる。
上表示パネル３ａと下表示パネル３ｂとの境界部分には、境界線を目立たなくするマスキング部材８０を設けるのが好ましい。マスキング部材８０を設ける場合、マスキング部材８０を上下表示パネル３ａ，３ｂの表面の境界部分を覆う覆い部８１と、この覆い部８１からパネルの厚み方向に突出して上下表示パネル３ａ，３ｂの境界側面部に位置する突出部８２とから構成してその全体を略Ｔ字状の板状に形成し、突出部８２に光を反射する反射体を設けるようにするのが好ましい。このようにすれば、反射体（突出部８２）で光を反射することで表示部７ａ及び７ｂを強調することが可能となる。
【００４３】
図１７，１８に示すように、この表示装置１によれば、例えば、上表示パネル３ａに結婚式の案内を示す表示部７ａを設けておき、下表示パネル３ｂに結婚式をする人の名前等を表示する表示部７ｂを設けて、式場に展示する表示装置を構成した場合、下表示パネル３ｂを適宜取り替えることで表示装置１を名前の異なる複数の結婚式に対応させることができる。
言い換えれば、上下表示パネル３ａ，３ｂのいずれか一方を主な表示をするマスター表示パネルとし、他の表示パネルを補助表示をするサブ表示パネルとして、サブ表示パネルだけ取り替えるようにすれば、表示する内容を適宜代えることができる。
【００４４】
この実施の形態では、上表示パネル３ａがマスター表示パネルとなり、下表示パネル３ｂがサブ表示パネルとなる。サブ表示パネルは、表示する目的が終了すると筐体５から取り外して部屋などに飾るようにすることもできる。サブ表示パネルで結婚式の名前を表示した場合には、結婚式終了後にサブ表示パネルを筐体５から取り外して持ち帰ることで、サブ表示パネルが記念品とすることができる。
【図面の簡単な説明】
【００４５】
【図１】本発明の第１実施形態の表示装置の概略斜視図である。
【図２】表示装置の正面図である
【図３】図２のＡ−Ａ断面図である。
【図４】本発明の第２実施形態の表示装置の断面図である。
【図５】圧着装置の概略図である。
【図６】本発明の第３実施形態の表示装置の断面図である。
【図７】本発明の表示装置を有する看板の正面図である。
【図８】看板の側面図である。
【図９】表示ボードの概略断面図である。
【図１０】ロック部材をフード部材に代えた看板の側面図である。
【図１１】フード部材を取り付けた時の正面図である。
【図１２】第２実施形態の看板の正面図である。
【図１３】看板の背面図である。
【図１４】図１２のＢ−Ｂ断面図である。
【図１５】表示装置の変形例の断面図である。
【図１６】表示装置の変形例の断面図である。
【図１７】表示装置の変形例の正面図である。
【図１８】表示装置の変形例の断面図である。
【符号の説明】
【００４６】
１    表示装置
２    光源
３    表示体（表示パネル）
４    着色シート
３０  看板
【図１】
2006201718.tif 000003
【図２】
2006201718.tif 000004
【図３】
2006201718.tif 000005
【図４】
2006201718.tif 000006
【図５】
2006201718.tif 000007
【図６】
2006201718.tif 000008
【図７】
2006201718.tif 000009
【図８】
2006201718.tif 000010
【図９】
2006201718.tif 000011
【図１０】
2006201718.tif 000012
【図１１】
2006201718.tif 000013
【図１２】
2006201718.tif 000014
【図１３】
2006201718.tif 000015
【図１４】
2006201718.tif 000016
【図１５】
2006201718.tif 000017
【図１６】
2006201718.tif 000018
【図１７】
2006201718.tif 000019
【図１８】
2006201718.tif 000020